(57)【要約】      （修正有）【課題】端末をケースに入れて使用する際に、端末がケースから外れて落下する危険性を防ぐ携帯情報端末ケースを提供する。【解決手段】携帯情報端末を内部に収納可能な携帯情報端末ケースであって、ケース本体と、ケース本体の長手方向の一方端に位置する折り曲げ部２を中心にして開閉する形状のケースカバー蓋１と、ケースカバー蓋１を閉じた状態でケースカバー蓋１の折り曲げ部２とは反対側の端部をケース本体に固定するための係止部材３、４と、ケース本体のケースカバー蓋１とは反対側の背面部に形成された小物入れ、カード入れ及び透明窓付き定期入れとを有する。【選択図】図１
0003223297.tif 000002
【実用新案登録請求の範囲】
【請求項１】
携帯情報端末（以下単に端末と呼ぶ）が収容可能な、長手方向に縦開きの形状を有した、折り曲げ部を介して上下開閉可能な端末ケース。
【請求項２】
請求項１において、上下開閉時にケースカバー蓋を固定するための係止部材。
【請求項３】
請求項１において、端末ケース背面部に装着した係止部材により、開閉可能とする、内部左右伸縮部材を有した小物入れ。
【請求項４】
請求項１において、端末ケース背面部に電子マネーカードを収納可能とする透明窓付き定期入れ（以下単に定期入れと呼ぶ。）
【請求項５】
請求項３において、小物入れ内部に複数のカードスリットが設けられているカード入れ（以下単にカード入れと呼ぶ。）
【請求項６】
長手方向に縦開きの形状を有する端末ケースにおいて、前記端末ケースのカバー部の折り曲げ部を介して、係止部材によってケースカバー蓋が上下開閉可能とする、小物入れ、カード入れ、定期入れが端末ケース背面部に設けられている端末ケース。
【考案の詳細な説明】
【技術分野】
【０００１】本考案は、携帯情報端末ケース（以下単に、端末ケースと呼ぶ）に関するものであり、端末ケース背面部に小物入れ、定期入れ、カード入れを設け、端末ケースカバーと端末取り付け部が、端末の長手方向に縦開きとするものである。
【背景技術】
【０００２】従来の端末ケースは、端末の安全のために、特許文献１、特許文献２のように、横開きの手帳型が主流となっており、内側面に端末取り付け部、カード入れを有している。しかし、従来の端末ケースでは、横開きの形状のため、手に収まりにくく、カバーの開閉時に、端末の落下、端末の破損、端末ケースカバー内側面のカード入れにゆるみが生じ、カードの紛失が多くみられる。
【先行技術文献】
【特許文献】
【０００３】
【特許文献１】特許第５７２８０５３号
【特許文献２】実用新案登録第３１９８８６７号
【特許文献３】実開平０２−０６４３２７
【考案の概要】
【考案が解決しようとする課題】
【０００４】本考案は、従来の端末ケースが持っている問題点を解決するために考案されたものである。すなわち、端末をケースに入れて使用する際に、端末ケースが横開きの形状であるため、使用する際に、手のひらに収まりにくく、かつ、端末がケースから外れて落下する危険性を防ぐことにある。
【課題を解決するための手段】
【０００５】前記課題を解決するために本考案の端末ケースは、上下の縦開き構造とした。また、端末ケース上中心部に端末ケースを開閉するための係止部材を備え、それによって片手での開閉が可能となるようにした。さらに、端末ケース背面部に小物入れを装着し、その内部にカード入れを備える構造とした。
【考案の効果】
【０００６】従来の手帳型ケースと比較して、上中心部の係止部材により、好ましくは下開きにすることで、開けたときの耳元や頭に被さる煩わしさを軽減、開閉の時間短縮、端末ケースの縦開き形状にすることにより端末の落下防止に効果がある。また、小物入れ、定期入れを端末ケース背面部に設けたことで所持品の軽量化が達成される。さらに、カード入れを小物入れの内部に設けたことで、カード紛失を防ぐことができる。端末ケースの上中心部の係止部材によって片手での開閉が可能となった。特に、手のサイズが比較的小さい女性や若年者にとって扱いやすいという効果がある。
【図面の簡単な説明】
【０００７】
【図１】図１は、本考案に係る端末ケースの外観正面図である。
【図２】図２は、本考案に係る端末ケースの外観背面図である。
【図３】図３は、本考案に係る端末ケースの小銭入れの開口時正面図である。
【考案を実施するための形態】
【０００８】以下図面に基づいて、本考案の端末ケースの実施例を説明する。
図１において、１は端末ケースカバーを開いた時の正面部、２は端末ケースを正面から見た折り曲げ部、３は端末ケースを正面から見た係止部材の受け部である。４は端末ケースを正面から見た係止部材の取り付け部、５は、端末ケースの端末取り付け部である。図２において、６は端末ケースを背面から見た透明窓付き定期入れ、７は端末ケースを背面から見た係止部材付き小物、カード入れ、８は端末ケースの背面部に有するカメラ撮影窓である。図３において、９は開口した片側の係止部材設置部、１０は開口した内部に設けられたカードスリット、１１は開口した正面伸縮部材設置部、１２は小物入れ部である。
【０００９】図１は開口時の様子を示したものである。
端末を端末取り付け部５に装着し、携帯情報端末ケースカバー蓋１を折り曲げ部２を介して係止部材受け部３に係止部材取り付け部４の先端部を［特許文献３］に掲載の係止部のように、装着させることによって閉口時の状態となる。図２は、開口時の端末ケース背面部に設けられた小物入れ７から見て上部に重ねた状態で接着された透明窓付き定期入れ６。電子マネー、定期入れを使用する際に利便性を重視した構成としている。
図３は小物入れ開口時の様子を示したものである。開閉する際に、係止部材部９（例としてファスナーとする）の取っ手を上下方向に開く。その際に、１１に設けられた伸縮部材が伸長、収縮され、取り出しが容易となり、取り出す時間と労力の軽減にもつながる。カードスリット１０は上下２か所に平行に設けられ、内部で重なる状態で収納可能となっている。小物入れ底面１２によって大きさに見合った小物を収納することが可能となっている。
【符号の説明】１  携帯情報端末ケースカバー蓋
２  折り曲げ部
３  係止部材受け部
４  係止部材取り付け部
５  端末取り付け部
６  透明窓付き定期入れ
７  係止部材付き小物入れ、カード入れ
８  カメラ撮影窓
９  小物入れ係止部材部
１０  カードスリット
１１  伸縮部材部
１２  小物入れ底面
【図１】
0003223297.tif 000003
【図２】
0003223297.tif 000004
【図３】
0003223297.tif 000005
【手続補正書】
【提出日】令和1年7月10日(2019.7.10)
【手続補正１】
【補正対象書類名】実用新案登録請求の範囲
【補正対象項目名】全文
【補正方法】変更
【補正の内容】
【実用新案登録請求の範囲】
【請求項１】
携帯情報端末を内部に収納可能な携帯情報端末ケースであって、ケース本体と、上記ケース本体の長手方向の一方端に位置する折り曲げ部を中心にして開閉する形状のケースカバー蓋とを有することを特徴とする携帯情報端末ケース。
【請求項２】
上記ケースカバー蓋を閉じた状態で上記ケースカバー蓋の上記折り曲げ部とは、反対側の端部を上記ケース本体に固定するための係止部材を有する請求項１記載の携帯情報端末ケース。
【請求項３】
上記ケース本体の上記ケースカバー蓋とは反対側の背面部に形成された小物入れを有する請求項１記載の携帯情報端末ケース。
【請求項４】
上記ケース本体の上記ケースカバー蓋と反対側に形成された透明窓付き定期入れを有する請求項１記載の携帯情報端末ケース。
【請求項５】
上記小物入れ内部にカードスリットが設けられている請求項３記載の携帯情報端末ケース。
【請求項６】
携帯情報端末を内部に収納可能な携帯情報端末ケースであって、ケース本体と、上記ケース本体の長手方向の一方端に位置する折り曲げ部を中心にして開閉する形状のケースカバー蓋と、上記ケースカバー蓋を閉じた状態で上記ケースカバー蓋の上記折り曲げ部とは反対側の端部を上記ケース本体に固定するための係止部材と、上記ケース本体の上記ケースカバー蓋とは反対側の背面部に形成された小物入れ、カード入れ及び透明窓付き定期入れとを有することを特徴とする携帯情報端末ケース。